(57)【要約】      （修正有）【課題】タバコの点火方式をさらに簡便化し、安全性を高められる電子式タバコ点火装置を提供する。【解決手段】本電子式タバコ点火装置は、外殻体と、回路板と、発熱ユニットと、電源ユニットと、スイッチとを含み、そのうち、外殻体には、発熱ユニット３０を露出させる助燃孔１３を備える。そのうち、スイッチに備えたスライド蓋構成部材５１は、使用しない通常時、助燃孔を覆い隠した状態にある。使用者が電子式タバコ点火装置を用いる時は、スライド蓋構成部材を押すだけでよい。これによって、助燃孔が露出するのと同時に、発熱ユニットを触発して高温にし、例えば、お線香やタバコ等の点火を助ける働きをする。使用完了後は、スイッチ内部に配置したバネの力で、スライド蓋構成部材の位置が回復し、それと同時に、発熱ユニットの電力が停止される。また、実施時にはＵＳＢでの充電も可能である。【選択図】図４
0003170952.tif 000002
【実用新案登録請求の範囲】
【請求項１】
表面に助燃孔を備えた外殻体と、
外殻体内部に固定する回路板と、
対応する導電接続区を表面に設けた回路板に電気的に接続し、助燃孔に対応する位置に配置する発熱ユニットと、
回路板に電気的に接続し、発熱ユニットの作動に必要な電力を提供する電源ユニットと、
外殻体表面に配置し、使用者にライン操作させるスライド蓋構成部材と、スライド蓋構成部材に連結し、通常の状態においてはスライド蓋構成部材に助燃孔を覆い隠させている少なくとも一つのバネと、スライド蓋構成部材に連動する導電片とを備え、スライド蓋構成部材に配置した前記導電片は、助燃孔が露出するまでスライドした時に、前記導電接続区の位置に接触し、発熱ユニットは導電して発熱し、助燃温度に達するスイッチと、
を備えることを特徴とする電子式タバコ点火装置。
【請求項２】
請求項１記載の電子式タバコ点火装置において、前記電源ユニットは充電電池とし、回路板の内部には充電電池に対して充電を行う充電回路を配置し、回路板上には外殻体を貫通し、外部電源を接続させる充電ポートを配置することを特徴とする電子式タバコ点火装置。
【請求項３】
請求項２記載の電子式タバコ点火装置において、前記充電ポートは、マイクロＵＳＢ規格に符合することを特徴とする電子式タバコ点火装置。
【請求項４】
請求項２記載の電子式タバコ点火装置において、前記充電ポートは、標準ＤＣの電源口規格に符合することを特徴とする電子式タバコ点火装置。
【請求項５】
請求項１記載の電子式タバコ点火装置において、前記外殻体には電池配置部を設け、該電池配置部の内部には、回路板と電気的に接続する電池端子を設け、規格に符合する電池を配置させることを特徴とする電子式タバコ点火装置。
【請求項６】
請求項１記載の電子式タバコ点火装置において、前記スライド蓋構成部材には、外殻体の外側に露出する蓋板と、外殻体内部に配置し、蓋板と組み合わせるスライド体とを備え、該スライド体は、前記バネと導電片とを架設させるためのものであることを特徴とする電子式タバコ点火装置。
【請求項７】
請求項６記載の電子式タバコ点火装置において、前記蓋板上には貫通孔を配置し、該貫通孔は、スライド蓋構成部材をスライドさせた後、助燃孔と向き合う位置に至り、助燃孔は露出状態となることを特徴とする電子式タバコ点火装置。
【請求項８】
請求項１記載の電子式タバコ点火装置において、前記スライド蓋構成部材の表面には、滑り止め部を配置することを特徴とする電子式タバコ点火装置。
【請求項９】
請求項１記載の電子式タバコ点火装置において、前記回路板上に設けた電源状態表示灯は、電源状態表示灯に対応する外殻体に光透過孔を配置することを特徴とする電子式タバコ点火装置。
【考案の詳細な説明】
【技術分野】
【０００１】
本考案は、電子式タバコ点火装置の構造技術に関し、特にガスを補充せずに、高温を物品に提供し、接触後、燃焼温度に達するタバコの点火装置に係り、実施時においては、ＵＳＢ充電を可能とし、便利性を高めるものである。
【背景技術】
【０００２】
ライターは、日常用品の中でもよく使用される物品である。例えば、タバコやお線香に火をつけたり、その他の点火作業に応用されている。現在、市販のライターにおいて、最大の用途は、タバコに火をつけることである。
【０００３】
ライターの運用原理であるが、内部に燃料を充填し、燃料を放出時に、発火石または高圧放電発火方式によって燃料を燃焼させ、焔を起こしてタバコを点火するのに用いる。
【０００４】
公知のライターの使用は、ライター廃棄後、環境汚染を引き起こすほか、自分で燃料を充填するライターを採用した場合には、燃料缶の準備と燃料缶の保存問題に関わることになり、並びに、適用する燃料の種類の問題も起きる。よって、その使用には大きな不便性がある。また、子供のライター遊びは、火災を引き起こす主な原因の一つとなっている。
【０００５】
以上の問題点に鑑み、本考案者は、現在のライターが一般に応用されるタバコの点火目的に対して研究開発を重ね、本考案の電子式タバコ点火装置を生み出した。それによって、タバコの点火方式をさらに簡便化し、安全性を高めることができる。
【考案の概要】
【考案が解決しようとする課題】
【０００６】
本考案の主な目的は、使用者にタバコの点火や他物品の燃焼を助ける電子式タバコ点火装置を提供することにある。本電子式タバコ点火装置は、燃料の使用を不用とし、ライターを代替するものであり、同時に安全性を兼ね備えた特徴を有する。
【課題を解決するための手段】
【０００７】
上述の目的を達成するため、本考案の電子式タバコ点火装置は、
表面に助燃孔を備えた外殻体と、
外殻体内部に固定する回路板と、
対応する導電接続区を表面に設けた回路板に電気的に接続し、助燃孔に対応する位置に配置する発熱ユニットと、
回路板に電気的に接続され、発熱ユニットの作動に必要な電力を提供する電源ユニットと、
外殻体表面に配置し、使用者にライン操作させるスライド蓋構成部材と、スライド蓋構成部材に連結し、通常の状態においてはスライド蓋構成部材に助燃孔を覆い隠させている少なくとも一つのバネと、スライド蓋構成部材に連動する導電片とを備え、スライド蓋構成部材に配置した前記導電片は、助燃孔が露出するまでスライドした時に、前記導電接続区の位置に接触し、発熱ユニットは導電して発熱し、助燃温度に達するスイッチと、を備える。
これによって、使用者は、タバコの先を助燃孔内に挿入し、タバコの先を発熱ユニットに接触させて、燃焼に必要な温度に至らせる。タバコの先への点火後、使用者は、スライド蓋構成部材に加えたプッシュ力を解き放つだけで、スライド蓋構成部材にはバネの回復作用が働くため、スライド蓋構成部材は、再び助燃孔を覆い隠す。また、それと同時に、導電片は導電接続区を離れ、発熱ユニットの電力を停止させるため、使用者は、電子式タバコ点火装置を便利に収納できる。
前記電源ユニットの実施時は充電電池とし、回路板の内部には充電電池に対して充電を行う充電回路を配置し、回路板上には外殻体を貫通し、外部電源を接続させる充電ポートを配置する。前記充電ポートは、マイクロ（Ｍｉｃｒｏ）ＵＳＢ規格に符合するものか、或いは標準ＤＣの電源口規格に符合するものとし、それに関連する充電設備の取得を簡単にし、他電子機器との充電設備の共用を簡易にする。
前記外殻体には電池配置部を設け、該電池配置部の内部には、回路板と電気的に接続する電池端子を設け、規格に符合する電池を配置することにより、使用者は、電池交換あるいは充電電池を交換する方式での実施が可能となる。
前記スライド蓋構成部材には、外殻体の外側に露出する蓋板と、外殻体内部に配置し、蓋板と組み合わせるスライド体とを備え、該スライド体は、バネと導電片とを架設させるもので、これにより、スライド蓋構成部材のモジュール化による生産及び組立装着に利便をはかる。実施時には、前記蓋板上に貫通孔を配置することも可能であり、蓋板を貫通孔と助燃孔とが向き合う位置までスライドさせた後、助燃孔は露出状態となり、これにより、使用者はタバコの先を助燃孔内に挿入することができる。
前記スライド蓋構成部材の表面には、装飾の滑り止め部を配置し、これにより、装飾効果が備えられる他、さらに、滑り止め効果が備わり、使用者が指でスライド蓋構成部材を動かす時の便利性を高める。
前記回路板上に設けた電源状態表示灯は、電源状態表示灯に対応する外殻体に光透過孔を配置し、電源状態を表示する働きに利便をはかる。
【考案の効果】
【０００８】
一般のライターと比較し、本考案の電子式タバコ点火装置には、同様に携帯の便利性という特徴がみられる。しかも、燃料の充填は不要で、助燃時には高温を提供し焔を発生させず、使用における安全性をさらに高めるものである。また、一般の充電設備によって充電源を取得し、充電方式で電力を蓄えられるため、電子式タバコ点火装置には、繰り返し使用可能という長所が備えられる。
【図面の簡単な説明】
【０００９】
【図１】本考案の第一実施例に関する分解斜視図である。
【図２】本考案の第一実施例に関する外観図である。
【図３】本考案の第一実施例に関する断面図である。
【図４】本考案の第一実施例に関する起動時の外観図である。
【図５】本考案の第一実施例に関する起動時の断面図である。
【図６】本考案の第二実施例に関する外観図である。
【図７】本考案の第三実施例に関する断面図である。
【考案を実施するための形態】
【００１０】
本考案の技術内容、構造特徴、達成する目的を詳細に説明するため、以下に実施例を挙げ並びに図面を組み合わせて説明する。
【００１１】
図１に示した本考案の第一実施例の分解図において、開示した電子式タバコ点火装置は、外殻体１０と、回路板２０と、発熱ユニット３０と、電源ユニット４０と、スイッチ５０とを含み、それらを組み立てた後の外観図を図２に示す。
【００１２】
図１及び図３を参照として説明をおこなう。そのうち、図３に示した本考案の第一実施例に関する断面図において、外殻体１０は、底部蓋１１と底部蓋１１上に向き合い結合される上部蓋１２とにより構成され、内部には収容空間を形成する。上部蓋１２には、助燃孔１３と、スライド孔１４と、光透過孔１５と、充電孔１６とを予め配置する。
【００１３】
回路板２０は、外殻体１０内部に固定し、発熱ユニット３０は、回路板２０に架設し、尚且つ、回路板２０に電気的に接続する。その発熱端は助燃孔１３に対応する位置とし、前記回路板２０の表面には発熱ユニット３０に対応させる導電接続区２１と電源状態表示灯２２とを設ける。導電接続区２１が導電されると、発熱ユニット３０が作動して、助燃温度（お線香やタバコを点火できる燃焼点温度）に至る。電源状態表示灯２２は、光透過孔１５に対応する位置に配置し、並びに、実施時、電源状態表示灯２２と光透過孔１５の間には光案内柱１７を配置しているため、電源状態表示灯２２の光源は光案内柱１７を通過して光透過孔１５方向に導かれて放出される。
【００１４】
電源ユニット４０は、回路板２０に電気的に接続され、発熱ユニット３０が作動に必要な電力を提供する。本実施例での電源ユニット４０は、充電電池により構成され、回路板２０の内部には充電電池に対して充電を行う充電回路を配置し、回路板２０上には外殻体１０を貫通するための充電孔１６を配置し、外部電源の充電ポート２３を接続する。本実施例の充電ポート２３は、マイクロ（Ｍｉｃｒｏ）ＵＳＢ規格に符合するもので、それに関連する充電設備の取得を簡単にし、その他の電子機器との充電設備の共用を簡易にする。
【００１５】
スイッチ５０には、外殻体１０表面に設け使用者にライン操作させるスライド蓋構成部材５１と、スライド蓋構成部材５１に連結し、通常の状態においてはスライド蓋構成部材５１に助燃孔１３を覆い隠させている少なくとも一つのバネ５２と、スライド蓋構成部材５１に連動する導電片５３とを備える。スライド蓋構成部材５１に配置した前記導電片５３は、助燃孔１３が露出するまでスライドした時、前記導電接続区２１の位置に接触する。前記スライド蓋構成部材５１には、外殻体１０の外側に露出する蓋板５１ａと、外殻体１０内部に配置し、蓋板５１ａと組み合わせるスライド体５１ｂとを備え、そのうち、蓋板５１ａの底部は、スライド孔１４を通過した後、スライド体５１ｂと結合し、スライド体５１ｂは、バネ５２と導電片５３を架設するのに用いる。
【００１６】
図４及び図５には、本考案の第一実施例起動時の外観図及び断面図を示す。図に示すとおり、使用者が本考案の電子式タバコ点火装置を用いてタバコに火をつけようとする時、スライド蓋構成部材５１を押して、導電片５３を導電接続区２１に接触させるだけで、発熱ユニット３０に電気を通して発熱させ、助燃温度に至らせる。それと同時に、スライド蓋構成部材５１は、助燃孔１３を覆い隠すことができない位置までスライドするため、使用者は、タバコの先を助燃孔１３内に挿入し、タバコの先を発熱ユニット３０に接触させて、燃焼に必要な温度に至らせる。
【００１７】
実施では、前記蓋板５１ａ上に貫通孔５１ｃを配置することも可能であり、蓋板５１ａを貫通孔５１ｃと助燃孔１３とが向き合う位置までスライドさせると、助燃孔１３が露出状態となるため、使用者はタバコの先を助燃孔１３内に挿入することができる。そのほか、スライド蓋構成部材５１を動かす使用者の利便をはかるため、実施において、前記スライド蓋構成部材５１の表面には、滑り止め部５１ｄを設ける。これは、装飾効果を備えさせる他、さらに滑り止め効果を持たせ、使用者が指でスライド蓋構成部材５１を動かす時の便利性を高める。
【００１８】
タバコの先への点火後、使用者は、スライド蓋構成部材５１に加えたプッシュ力を解き放つだけで、スライド蓋構成部材５１にはバネ５２の回復作用が働くため、スライド蓋構成部材５１は再び助燃孔１３を覆い隠す。また、それと同時に、導電片５３は導電接続区２１を離れ、発熱ユニット３０の電力を停止させるため、使用者は、電子式タバコ点火装置を便利に収納できる。
【００１９】
図６には、本考案の第二実施例に関する外観図を示す。本実施例と第一実施例との相違点は、図に示した充電ポート２３がＤＣ電源口の標準規格に符合する点にあり、それに関連する充電設備は、標準のＤＣに符合する電源を採用するため、電源の取得が簡単になるか、または、他の電子製品との充電設備の共用が可能となる。
【００２０】
図７には、本考案の第三実施例に関する断面図を示す。本実施例での外殻体１０には電池配置部１８を設け、電池配置部１８の内部には、回路板２０と電気的に接続する電池端子２４を設け、規格に符合する電池を配置することにより、各種の交換可能な電池を電源ユニット４０とするのを可能にする。例えば、一般の乾電池、アルカリ性電池、充放電可能で繰り返し使用できるアルカリ性電池等を用い、使用者は、電池交換あるいは充電電池を交換する方式での実施が可能となる。
【００２１】
以上の実施例の説明及び示した図面は、本考案の好ましい実施例について述べたものであり、これによって本考案を制限するものではない。本考案の構造、特徴等に類似する、あるいは同様であるものはすべて、本考案の創作目的および登録請求の範囲内に含まれるものとすることを、ここに明記する。
【符号の説明】
【００２２】
１０            外殻体
１１            底部蓋
１２            上部蓋
１３            助燃孔
１４            スライド孔
１５            光透過孔
１６            充電孔
１７            光案内柱
１８            電池配置部
２０            回路板
２１            導電接続区
２２            電源状態表示灯
２３            充電ポート
２４            電池端子
３０            発熱ユニット
４０            電源ユニット
５０            スイッチ
５１            スライド蓋構成部材
５１ａ            蓋板
５１ｂ            スライド体
５１ｃ            貫通孔
５１ｄ            滑り止め部
５２            バネ
５３            導電片
【図１】
0003170952.tif 000003
【図２】
0003170952.tif 000004
【図３】
0003170952.tif 000005
【図４】
0003170952.tif 000006
【図５】
0003170952.tif 000007
【図６】
0003170952.tif 000008
【図７】
0003170952.tif 000009